(57)【特許請求の範囲】
【請求項１】
交流を直流に変換して発振するスイッチング方式の電源装置に、発振の入／切を切換える切換手段と、前記切換手段の切換動作を制御する制御手段と、前記制御手段の駆動用電源を備え、前記制御手段は、前記スイッチング方式の電源装置の発振が切状態である時間を計測する手段と、前記発振の切時間に比例して、前記電源装置の発振を入にする条件を遅延する方向に変更する手段を備えて構成したことを特徴とする衛生洗浄装置の制御装置。
【請求項２】
交流を直流に変換して発振するスイッチング方式の電源装置に、発振の入／切を切換える切換手段と、前記切換手段の切換動作を制御する制御手段と、前記制御手段の駆動用電源を備え、前記制御手段は、便座の着座／非着座を監視する手段と、便座着座時、前記切換手段によって前記スイッチング方式の電源装置の発振を入にして特定の直流負荷を駆動し、便座非着座時、前記切換手段によって前記電源装置の発振を切にする手段を備え、更に、前記制御手段は、前記スイッチング方式の電源装置の発振状態を監視する手段と、前記発振状態が間欠発振状態でないとき特定の直流負荷の駆動を継続し、前記発振状態が間欠発振状態であるとき、特定の直流負荷の駆動を開始する手段を備えて構成したことを特徴とする衛生洗浄装置の制御装置。
【請求項３】
交流を直流に変換して発振するスイッチング方式の電源装置に、発振の入／切を切換える切換手段と、前記切換手段の切換動作を制御する制御手段と、前記制御手段の駆動用電源を備え、前記制御手段は、使用者の有無を監視する手段と、使用者が存在するとき、前記切換手段によって前記スイッチング方式の電源装置の発振を入にして特定の直流負荷を駆動し、使用者が存在しないとき、前記切換手段によって前記電源装置の発振を切にする手段を備え、更に、前記制御手段は、前記スイッチング方式の電源装置の発振状態を監視する手段と、前記発振状態が間欠発振状態でないとき特定の直流負荷の駆動を継続し、前記発振状態が間欠発振状態であるとき、特定の直流負荷の駆動を開始する手段を備えて構成したことを特徴とする衛生洗浄装置の制御装置。
【請求項４】
交流を直流に変換して発振するスイッチング方式の電源装置に、発振の入／切を切換える切換手段と、前記切換手段の切換動作を制御する制御手段と、前記制御手段の駆動用電源を備え、前記制御手段は、便蓋の開閉状態を監視する手段と、前記便蓋が開状態にあるとき、前記切換手段によって前記スイッチング方式の電源装置の発振を入にして特定の直流負荷を駆動し、前記便蓋が閉状態にあるとき、前記切換手段によって前記電源装置の発振を切にする手段を備え、更に、前記制御手段は、前記スイッチング方式の電源装置の発振状態を監視する手段と、前記発振状態が間欠発振状態でないとき特定の直流負荷の駆動を継続し、前記発振状態が間欠発振状態であるとき、特定の直流負荷の駆動を開始する手段を備えて構成したことを特徴とする衛生洗浄装置の制御装置。
【請求項５】
交流を直流に変換して発振するスイッチング方式の電源装置に、発振の入／切を切換える切換手段と、前記切換手段の切換動作を制御する制御手段と、前記制御手段の駆動用電源を備え、前記制御手段は、前記スイッチング方式の電源装置の発振状態を監視する手段と、前記発振状態が間欠発振状態となったとき、前記切換手段によって前記電源装置の発振を切にする手段を備えて構成したことを特徴とする衛生洗浄装置の制御装置。
【請求項６】
交流を直流に変換して発振するスイッチング方式の電源装置に、発振の入／切を切換える切換手段と、前記切換手段の切換動作を制御する制御手段と、前記制御手段の駆動用電源を備え、前記制御手段は、直流負荷の駆動状態を監視する手段と、前記直流負荷が全て停止状態にあるとき、前記切換手段によって前記電源装置の発振を切にする手段を備えて構成したことを特徴とする衛生洗浄装置の制御装置。
【請求項７】
交流を直流に変換して発振するスイッチング方式の電源装置に、発振の入／切を切換える切換手段と、前記切換手段の切換動作を制御する制御手段と、前記制御手段の駆動用電源を備え、前記制御手段は、前記スイッチング方式の電源装置の発振電力を監視する手段と、前記発振電力が指定した電力量以上となったとき、前記切換手段によって前記電源装置の発振を切にし、前記発振電力が指定した電力量以下となったとき、前記切換手段によって前記電源装置の発振を入にして特定の直流負荷を駆動する手段を備えて構成したことを特徴とする衛生洗浄装置の制御装置。
【発明の詳細な説明】
【０００１】
【発明の属する技術分野】
本発明は、無効電力の消費を解消して良好に負荷を制御することのできる衛生洗浄装置の制御装置に関する。
【０００２】
【従来の技術】
従来の衛生洗浄装置は、現在の衛生洗浄装置と比較して使用できる機能が少なく、制御対象となる負荷は、例えば、図１４に示す便座１を暖房するヒータやノズル２から噴出する局部洗浄水を加熱するヒータなど、交流電源により制御するものの割合が多く、直流電源によって駆動する負荷（以下、直流負荷という）としては、洗浄時にノズル２を進退させる電動機などごく一部に限られていた。したがって、前記直流負荷を駆動する電源装置（以下、直流電源装置という）は小容量でよく、しかも、小型のものが利用できた。
【０００３】
然るに、近年の衛生洗浄装置の多機能化により、便座暖房機能および洗浄水加熱機能の他に、例えば、洗浄後の局部を乾燥する機能や脱臭機能など便利な機能が増えてきた。これにより、前記直流負荷の使用数が増加して前記直流電源装置の容量を必然的に増大させることが必要となってきた。
【０００４】
しかし、前記直流電源装置の容量を増大することは一般的に装置自体の大型化を招き、特に、前記直流電源装置をトランスおよびダイオードブリッジを用いて構成した場合、前記直流電源装置は直接５０Ｈｚまたは６０Ｈｚの周波数で電力を変換しなければならず、これは大形で重量も大きく装置を小型化するうえで大きな妨げとなっていた。
【０００５】
そこで、最近はトランスおよびダイオードブリッジからなる平滑型の直流電源装置に代えて、トランスを介さずに商用電源を直接入力源として必要な直流電圧を得るスイッチング方式の直流電源装置が使用されるようになってきた。前記スイッチング方式の直流電源装置を使用した場合、スイッチング動作をするトランジスタのスイッチング周波数は一般に人間の可聴帯域を基本（２０ｋＨｚ以上）とするので、出力トランスは非常に小型化することが可能となる。
【０００６】
これは、出力トランスの１次側の巻数ＮP は、ＮP ＝ＶIN／（４・δＢ・Ａ・ｆ）×１０８で求めることができ、スイッチング周波数ｆが高いほどＮP は少なくてよく、またトランスの外形から決まるコアの有効断面積Ａが小さくてすむからである。なお、前式のうち、係数４は動作波形が方形波の場合で、正弦波では４．４４となる。また、ＶINはトランスの１次側入力電圧であり、δＢはトランスに使用するコアの磁束密度の変化量である。
【０００７】
【発明が解決しようとする課題】
しかしながら、前記スイッチング方式の直流電源装置は、トランスおよびダイオードブリッジを用いた平滑型の直流電源装置と違って、原理上時定数の大きなコンデンサやコイルを使用することから応答性が悪く、２次側（出力側）からの出力要求がない場合でも、常に発振動作を維持しておかなければならないため（２次側から要求があったとき即応答できるようにするため）、無負荷時または軽負荷時に間欠発振を起こして、直流負荷が誤動作してしまうといった問題があった。これは、２次側の出力が大きくなるほど発生しやすく、そのため、２次側の出力が大きい場合には、２次側にブリーダ抵抗を接続して、最低でも間欠発振を起こさない程度の出力が常時得られるような回路構成を考慮する必要があった。
【０００８】
このように、２次側にブリーダ抵抗を接続した場合、前記スイッチング方式の直流電源装置は、無負荷時または軽負荷時に間欠発振を起こすといった問題点は解消されるものの、前記ブリーダ抵抗に流れる電力は無効電力となって無駄に消費されるため、不経済であった。
【０００９】
本発明は、前記の問題点を解決するようにしたもので、直流負荷の電源としてスイッチング方式の直流電源装置を使用した場合、無効電力の消費を極力排除して負荷を良好に駆動制御することのできる衛生洗浄装置の制御装置を提供する。
【００１０】
【問題を解決するための手段】
請求項１記載の衛生洗浄装置の制御装置は、交流を直流に変換して発振するスイッチング方式の電源装置に、発振の入／切を切換える切換手段と、前記切換手段の切換動作を制御する制御手段と、前記制御手段の駆動用電源を備え、前記制御手段は、前記スイッチング方式の電源装置の発振が切状態である時間を計測する手段と、前記発振の切時間に比例して、前記電源装置の発振を入にする条件を遅延する方向に変更する手段を備えて構成した。
【００１１】
請求項２記載の衛生洗浄装置の制御装置は、交流を直流に変換して発振するスイッチング方式の電源装置に、発振の入／切を切換える切換手段と、前記切換手段の切換動作を制御する制御手段と、前記制御手段の駆動用電源を備え、前記制御手段は、便座の着座／非着座を監視する手段と、便座着座時、前記切換手段によって前記スイッチング方式の電源装置の発振を入にして特定の直流負荷を駆動し、便座非着座時、前記切換手段によって前記電源装置の発振を切にする手段を備え、更に、前記制御手段は、前記スイッチング方式の電源装置の発振状態を監視する手段と、前記発振状態が間欠発振状態でないとき特定の直流負荷の駆動を継続し、前記発振状態が間欠発振状態であるとき、特定の直流負荷の駆動を開始する手段を備えて構成した。
【００１２】
請求項３記載の衛生洗浄装置の制御装置は、交流を直流に変換して発振するスイッチング方式の電源装置に、発振の入／切を切換える切換手段と、前記切換手段の切換動作を制御する制御手段と、前記制御手段の駆動用電源を備え、前記制御手段は、使用者の有無を監視する手段と、使用者が存在するとき、前記切換手段によって前記スイッチング方式の電源装置の発振を入にして特定の直流負荷を駆動し、使用者が存在しないとき、前記切換手段によって前記電源装置の発振を切にする手段を備え、更に、前記制御手段は、前記スイッチング方式の電源装置の発振状態を監視する手段と、前記発振状態が間欠発振状態でないとき特定の直流負荷の駆動を継続し、前記発振状態が間欠発振状態であるとき、特定の直流負荷の駆動を開始する手段を備えて構成した。
【００１３】
請求項４記載の衛生洗浄装置の制御装置は、交流を直流に変換して発振するスイッチング方式の電源装置に、発振の入／切を切換える切換手段と、前記切換手段の切換動作を制御する制御手段と、前記制御手段の駆動用電源を備え、前記制御手段は、便蓋の開閉状態を監視する手段と、前記便蓋が開状態にあるとき、前記切換手段によって前記スイッチング方式の電源装置の発振を入にして特定の直流負荷を駆動し、前記便蓋が閉状態にあるとき、前記切換手段によって前記電源装置の発振を切にする手段を備え、更に、前記制御手段は、前記スイッチング方式の電源装置の発振状態を監視する手段と、前記発振状態が間欠発振状態でないとき特定の直流負荷の駆動を継続し、前記発振状態が間欠発振状態であるとき、特定の直流負荷の駆動を開始する手段を備えて構成した。
【００１４】
請求項５記載の衛生洗浄装置の制御装置は、交流を直流に変換して発振するスイッチング方式の電源装置に、発振の入／切を切換える切換手段と、前記切換手段の切換動作を制御する制御手段と、前記制御手段の駆動用電源を備え、前記制御手段は、前記スイッチング方式の電源装置の発振状態を監視する手段と、前記発振状態が間欠発振状態となったとき、前記切換手段によって前記電源装置の発振を切にする手段を備えて構成した。
【００１５】
請求項６記載の衛生洗浄装置の制御装置は、交流を直流に変換して発振するスイッチング方式の電源装置に、発振の入／切を切換える切換手段と、前記切換手段の切換動作を制御する制御手段と、前記制御手段の駆動用電源を備え、前記制御手段は、直流負荷の駆動状態を監視する手段と、前記直流負荷が全て停止状態にあるとき、前記切換手段によって前記電源装置の発振を切にする手段を備えて構成した。
【００１６】
請求項７記載の衛生洗浄装置の制御装置は、交流を直流に変換して発振するスイッチング方式の電源装置に、発振の入／切を切換える切換手段と、前記切換手段の切換動作を制御する制御手段と、前記制御手段の駆動用電源を備え、前記制御手段は、前記スイッチング方式の電源装置の発振電力を監視する手段と、前記発振電力が指定した電力量以上となったとき、前記切換手段によって前記電源装置の発振を切にし、前記発振電力が指定した電力量以下となったとき、前記切換手段によって前記電源装置の発振を入にして特定の直流負荷を駆動する手段を備えて構成した。
【００１７】
【００１８】
【００１９】
【００２０】
【００２１】
【００２２】
本発明の衛生洗浄装置の制御装置は、スイッチング方式の電源装置が無負荷時または軽負荷時において間欠発振動作が生じないように構成したので、前記間欠発振を防止するための擬似負荷を必要とせず、この結果、前記擬似負荷により無効電力が消費されることを確実に阻止することができる。
【００２３】
【発明の実施の形態】
以下、本発明の実施の形態を図１ないし図１２により説明する。図１は本発明の第１実施例における負荷制御手段を示しており、図１において、５は商用電源６ａの交流電圧を一旦整流した後、図示しないトランジスタのスイッチング動作によって必要な直流電圧を得る直流電源装置（以下、スイッチング電源という）であり、７は前記スイッチング電源５の出力（発振）を入／切する切換手段である。
【００２４】
８は前記スイッチング電源５および直流負荷ａ〜ｃを制御するマイクロコンピュータからなる制御手段であり、９は商用電源６ｂの交流電圧をトランスＴにより所定電圧値に変換した後、ダイオードブリッジＤおよびコンデンサＣによって必要な直流電圧を得て前記制御手段８を駆動する平滑型の電源装置（以下、平滑電源という）である。
【００２５】
前記制御手段８は図２に示すように、例えば、着座センサー１０に接続され、図１４に示す便座１の着座／非着座を監視する着座検出手段１１と、前記切換手段７に対してスイッチング電源５の発振を入／切する信号を送信する入／切信号出力手段１２から構成されている。
【００２６】
つづいて、前記制御手段８の動作を図３のフローチャートにより説明する。まず最初に、図１４に示す制御装置３の図示しない電源スイッチを投入すると、図２に示す制御手段８は、図３のステップＳ１において、マイクロコンピュータ内のＲＡＭの初期化、Ｉ／Ｏ設定、割り込み処理の設定等コンピュータの初期化処理を行う。
【００２７】
そして、ステップＳ２において前記制御手段８は、例えば、図１４に示す衛生洗浄装置の便座１内に取付けた着座センサー１０（電気的に便座１の着座／非着座を検出できるセンサー）の信号を着座検出手段１１により確認し、ステップＳ３において、前記便座１が着座状態にあるか否かを判別する。その結果、前記便座１が着座状態にある場合、前記制御手段８はステップＳ４において、入／切信号出力手段１２から切換手段７にスイッチング電源５の発振を継続する旨の信号を送信するとともに、ステップＳ５において特定の直流負荷（例えば、脱臭ファン回転用電動機）に駆動信号を送信する。
【００２８】
これにより、前記脱臭ファン回転用の電動機は、使用者が便座１に着座することにより駆動して、便器内および便室内を消臭する。このとき、図１に示すスイッチング電源５の２次側（出力側）は、前記脱臭ファン回転用の電動機が駆動することにより無負荷状態または軽負荷状態となることはなく、便座１の着座後にスイッチング電源５が常時発振状態となったとしても、前記発振の状態が間欠発振を起こすことはない。
【００２９】
また、前記便座１の着座後に使用者が図１４に示す操作パネルＰ上のスイッチを投入して、例えば、局部洗浄を行おうとした場合、図１に示す制御手段８はノズル２を進退する電動機に駆動信号を送信するが、前記スイッチング電源５は既に発振を継続した状態にあるため、ノズル２を進退する電動機は前記スイッチング電源５の発振により応答良くノズル２を進出させて局部を洗浄することができる。
【００３０】
その後は再びステップＳ２まで戻って着座センサー１０の信号を確認し、順次ステップＳ３以降の動作を繰返し行う。また、前記ステップＳ３において便座１が非着座状態にある場合、入／切信号出力手段１２はスイッチング電源５の発振を切にする旨の信号を切換手段７に送信して、スイッチング電源５の発振を停止（ステップＳ６）し、直流負荷の駆動を停止（ステップＳ７）する。
【００３１】
すなわち、前記制御手段８は使用者が便座１から離座することによりスイッチング電源５の発振を切にして直流負荷の駆動を停止する。これにより、使用者が衛生洗浄装置を使用しない状態、つまり直流負荷が待機状態にある無負荷時または軽負荷時にスイッチング電源５が間欠発振をすることを確実に防止することができる。
【００３２】
前記ステップＳ７において直流負荷の駆動を停止した後は、再びステップＳ２の着座センサー１０の信号確認まで戻り、それ以降の動作を繰返し行うことで、常時、便座１の着座／非着座状態を確認して、その都度、スイッチング電源５の発振を入／切制御するものである。
【００３３】
なお、前記入／切信号出力手段１２は、便座１の着座／非着座を検出してからスイッチング電源５の発振を入／切するまでの時間および、発振を入にしたときはそれにより駆動する特定の直流負荷の駆動継続時間を任意に設定することが可能なものとする。即ち、使用者が便座１に着座した後、例えば２秒後にスイッチング電源５の発振が入となって、ある特定の直流負荷（例えば脱臭ファン回転用の電動機）がその後３０分間継続して駆動するように設定したり、使用者が便座１から離座した後、１分後にスイッチング電源５の発振を切にして特定の直流負荷の駆動を停止するといったように、自由に設定することが可能なものとする。
【００３４】
また、前記制御手段８はスイッチング電源５の発振を入／切する条件を便座１の着座／非着座に限定することなく、例えば、図２に示す着座センサー１０に代えて、便座１の前に存在する使用者を感知する人感センサーや、便蓋４の開閉状態を検出する便蓋開閉センサー等を備えて、使用者の有無または便蓋の開閉を条件に、前記スイッチング電源５の発振を入／切するようにしてもよい。
【００３５】
この場合、前記制御手段８は、着座検出手段１１に代えて人感センサーの信号を監視する手段（使用者監視手段）若しくは、便蓋の開閉状態を監視する手段（開閉状態監視手段）を備え、また前記入／切信号出力手段１２は使用者の有無または便蓋４の開閉状態によって、前記切換手段７に対してスイッチング電源５の発振を入／切する信号を送信するように構成してもよいことは言うまでもない。
【００３６】
つづいて、本発明の第２実施例を図４、５を用いて説明する。なお、図４において図２に示す第１実施例と同一部品は同一符号を付して説明する。図４は図１に示すスイッチング電源５および直流負荷ａ〜ｃを制御するマイクロコンピュータからなる制御手段１３を示し、１４は人感センサー１５の信号より便座１の前に使用者が存在するか、否かを監視する使用者監視手段である。
【００３７】
１６は図１４に示す操作パネルＰ上に備えた直流負荷駆動用のスイッチ（以下、負荷スイッチという）であり、１７は前記負荷スイッチ１６の信号より前記負荷スイッチの投入／非投入を監視するスイッチ監視手段である。１８は入／切信号出力手段１２の出力信号からスイッチング電源５の発振が切状態にある時間を計測し、前記計測時間に応じてスイッチング電源５の発振を入にする条件を変更する切時間計測手段である。
【００３８】
次に、前記制御手段１３の動作を図５のフローチャートにより説明する。図１４に示す制御装置３の図示しない電源スイッチを投入すると、前記制御手段１３は、図５に示すステップＳ２１において、マイクロコンピュータ内のＲＡＭの初期化、Ｉ／Ｏ設定、割り込み処理の設定等コンピュータの初期化処理を行う。
【００３９】
つづいて、切時間計測手段１８はステップＳ２２において、前記入／切信号出力手段１２が切換手段７に対してスイッチング電源５の発振を切とする旨の信号を送信したときスタートさせたタイマによって、スイッチング電源５の発振が切状態にある時間ｔを計測する。なお、このときスイッチング電源５の発振が入状態である場合は、切時間計測手段１８による計測時間ｔ＝０とする。
【００４０】
そして、ステップＳ２３において、前記計測時間ｔと使用者が予め任意に設定した所定時間Ｔ１と比較して、前記計測時間ｔが所定時間Ｔ１より短い場合は、ステップＳ２４に移行して、使用者監視手段１４は人感センサー１５の信号を確認し、便座１の前に使用者が存在するか、否かをステップＳ２５にて判別する。
【００４１】
その結果、便座１の前に使用者が存在する場合は、ステップＳ２６において、入／切信号出力手段１２はスイッチング電源５の発振を入にする旨の信号を切換手段７に送信して、特定の直流負荷（例えば、脱臭ファン回転用の電動機）を駆動する（ステップＳ２７）。なお、ステップＳ２２において計測時間ｔ＝０のとき、つまり、スイッチング電源５が発振状態にある場合は、ステップＳ２６において、現在の発振状態を継続して行うことになる。
【００４２】
また、前記ステップＳ２５において便座１の前に使用者が存在しないときは、ステップＳ２８に移行して、入／切信号出力手段１２は切換手段７にスイッチング電源５の発振を切にする旨の信号を送信して、前記スイッチング電源５の２次側（出力側）に接続した直流負荷の駆動を停止する（ステップＳ２９）。なお、既に駆動停止状態にある場合は、停止状態を継続する。
【００４３】
前記ステップＳ２３においてスイッチング電源５の発振が切状態にある時間ｔが所定時間Ｔ１よりも長い場合は、ステップＳ３０に移行して、前記計測時間ｔと所定時間Ｔ２とを比較する。なお所定時間Ｔ１とＴ２との間には、Ｔ１＜Ｔ２の関係が常に存在するものとする。
【００４４】
そして、前記計測時間ｔが所定時間Ｔ２よりも短い場合、着座検出手段１１はステップＳ３１において着座センサー１０の信号を確認し、ステップＳ３２において、便座１の着座／非着座を判別する。その結果、前記便座１が着座状態にあれば、ステップＳ３３に移行して、入／切信号出力手段１２は切換手段７にスイッチング電源５の発振を入にする信号を送信して、特定の直流負荷を駆動する（ステップＳ３４）。
【００４５】
また、前記ステップＳ３２において、便座１が非着座状態にあれば、ステップＳ２８に移行して、前記入／切信号出力手段１２は切換手段７にスイッチング電源５の発振を切にする信号を送信して、スイッチング電源５の２次側（出力側）に接続した直流負荷の駆動を停止する（ステップＳ２９）。
【００４６】
さらに、前記ステップＳ３０において、前記計測時間ｔが所定時間Ｔ２よりも長いときは、ステップＳ３５に移行して、前記負荷スイッチ１６の投入状態を確認する。その結果、前記負荷スイッチ１６が投入状態（ステップＳ３６）にあれば、ステップＳ３７において、入／切信号出力手段１２は切換手段７にスイッチング電源５の発振を入にする信号を送信して、特定の直流負荷を駆動する（ステップＳ３８）。
【００４７】
また、前記ステップＳ３６において、負荷スイッチ１６が投入状態にない場合は、ステップＳ２８において、入／切信号出力手段１２はスイッチング電源５の発振を切にする信号を切換手段７に送信して、直流負荷の駆動を停止する（ステップＳ２９）。
【００４８】
以上説明したように、本発明の第２実施例は、スイッチング電源５の発振が切状態にある時間ｔを計測し、その計測時間ｔが使用者が任意に設定した所定時間Ｔ１（例えば、１００時間）より短いときは、使用者が便座１の前に立つことによりスイッチング電源５の発振を入として、特定の直流負荷（例えば、脱臭ファン回転用の電動機）を駆動し、前記計測時間ｔが所定時間Ｔ１（１００時間）より長く所定時間Ｔ２（例えば、２００時間）より短いときは、使用者が便座１に着座することによってスイッチング電源５の発振を入として、特定の直流負荷を駆動し、また、前記計測時間ｔが所定時間Ｔ２（２００時間）より長いときは、使用者が負荷スイッチ１６を投入することによってスイッチング電源５の発振を入として、特定の直流負荷を駆動するように構成したものである。
【００４９】
つまり、旅行時など、衛生洗浄装置を長期間使用しないときは、その非使用時間ｔを計測し、前記非使用時間ｔに比例して、スイッチング電源５の発振を入とする条件を遅延する方向に変更するように構成したので、留守中に、例えば、塵埃や犬猫が誤って人感センサー１５や着座センサー１０に反応して、スイッチング電源５の発振が入状態となることを極力防止して、無駄な電力消費を抑制することを可能とした。
【００５０】
なお、前記非使用時間ｔが所定時間Ｔ２より長い場合、負荷スイッチ１６を投入したとき、スイッチング電源５は発振状態にないため、前記負荷スイッチ１６の投入に対して直流負荷の応答性は良くないが、前記所定時間Ｔ２を充分長く設定することで、このような状況は通常の日常生活では起こり得ない特別時の状況と設定することができる。
【００５１】
図６は本発明の第３実施例を示すものであり、１９は前記制御手段８、１３同様、スイッチング電源５および直流負荷ａ〜ｃを制御するマイクロコンピュータからなる制御手段である。１１は前記制御手段１９内において、着座センサー１０の信号より便座１の着座／非着座状態を監視する着座検出手段であり、１２は便座１の着座／非着座によってスイッチング電源５の発振を入／切する入／切信号出力手段である。
【００５２】
２０は前記スイッチング電源５の発振電圧を監視する発振電圧監視手段であり、２１は電圧検出手段２２にて検出したスイッチング電源５の発振電圧が間欠発振状態にあるとき、スイッチング電源５の発振を入にして、特定の直流負荷を駆動する駆動信号出力手段である。なお、前記制御手段１９の駆動電源は図１に示す平滑電源９と同一であるため、ここでは記載を省略する。
【００５３】
そして、前記制御手段１９によりスイッチング電源５および直流負荷ａ〜ｃを制御する場合、図７のステップＳ４１において、前記制御手段１９はマイクロコンピュータ内のＲＡＭの初期化、Ｉ／Ｏ設定、割り込み処理の設定等コンピュータの初期化処理を行い、ステップＳ４２において、着座検出手段１１により着座センサー１０の信号を確認する。
【００５４】
その結果、便座１が着座状態にない（ステップＳ４３）場合は、ステップＳ４４に移行して、入／切信号出力手段１２は切換手段７に対してスイッチング電源５の発振を切とする信号を送信して、直流負荷ａ〜ｃの駆動を停止（ステップＳ４５）し、その後は、ステップＳ４２に戻ってそれ以降の動作を再び行う。
【００５５】
また、前記ステップＳ４３において前記便座１が着座状態にある場合、ステップＳ４６に移行して、入／切信号出力手段１２は切換手段７にスイッチング電源５の発振を入とする信号を送信して、特定の直流負荷（例えば、脱臭ファン回転用の電動機）を、予め設定した時間（例えば、３０分間）駆動する（ステップＳ４７）。
【００５６】
前記特定の直流負荷が駆動しはじめると、発振電圧監視手段２０はステップＳ４８において、電圧検出手段２２にて検出したスイッチング電源５の発振電圧を確認し、ステップＳ４９において、前記発振電圧が間欠発振状態であるか否かを判別する。前記発振電圧が間欠発振状態にあるか否かは、図８に示すように、スイッチング電源５の発振電圧にサージ電圧があらわれるか、否かによって容易に判別することができる。
【００５７】
前記スイッチング電源５の発振電圧が間欠発振状態となるのは、スイッチング電源５の２次側（出力側）が無負荷時または軽負荷時のときであり、これは、図１４に示す操作パネルＰ上の負荷スイッチ１６を使用者が一切投入していない状態、即ち、直流負荷ａ〜ｃが前記制御手段１９から何等駆動信号を受信しない待機状態において発生する。
【００５８】
然るに、前記スイッチング電源５は従来例でも説明したように、原理上時定数の大きなコンデンサやコイルを使用して構成されるため、２次側（出力側）に接続した直流負荷ａ〜ｃから発振要求があった場合、即時応答できるように常に発振を維持しておかなければならず、２次側が無負荷時または軽負荷時にもかかわらず発振を継続すると、その発振電圧は間欠発振状態となり、負荷ａ〜ｃが誤動作または故障するといった危険性が常にあった。
【００５９】
したがって、前記制御手段１９はステップＳ４９において、スイッチング電源５の発振電圧が間欠発振状態にあるか、否かを判断して、その結果、前記発振電圧が間欠発振状態にない場合、つまり、ステップＳ４７にて駆動した直流負荷が、設定した時間（３０分間）を経過せずに未だ駆動状態にある場合は、ステップＳ５０に移行して、駆動信号出力手段２１から特定の直流負荷に駆動信号を送信して、前記特定の直流負荷の駆動を継続（ステップＳ５０）する。そして、その後は再びステップＳ４２の着座センサー１０の信号確認まで戻り、それ以降の動作を繰り返し行う。
【００６０】
また、前記ステップＳ４９において、スイッチング電源５の発振電圧が間欠発振状態であるとき、つまり、ステップＳ４７にて駆動した直流負荷が、予め設定した時間（３０分間）を経過して駆動を停止している場合、前記駆動信号出力手段２１は切換手段７にスイッチング電源５の発振を入にする信号を送信して、停止状態にある前記特定の直流負荷を駆動（ステップＳ５１）し、スイッチング電源５の２次側（出力側）の無負荷状態または軽負荷状態を解消して、スイッチング電源５の間欠発振状態を解消する。
【００６１】
本発明の第３実施例は以上説明したように、便座１の着座／非着座によってスイッチング電源５の発振を入／切し、前記スイッチング電源５の発振が入となった後は、これにより駆動する直流負荷が予め設定した時間を経過して停止状態にあるか、或いは設定時間を経過せず未だ継続して駆動状態にあるかによって、前記直流負荷の駆動を開始または継続するように構成したので、前記スイッチング電源５の間欠発振状態が長時間にわたって継続されることを確実に防止することができる。
【００６２】
なお、前記本発明の第３実施例は第１実施例同様、スイッチング電源５の発振を入／切する条件を便座１の着座／非着座に限定することなく、着座センサー１０に代えて人感センサー１５や便蓋開閉センサーを備えて、使用者の有無または便蓋の開閉を条件にスイッチング電源５の発振を入／切するように構成してもよく、その場合は、着座検出手段１１の代わりに使用者監視手段１４または開閉状態監視手段を備えるとともに、入／切信号出力手段１２は使用者の有無若しくは便蓋の開閉により切換手段７にスイッチング電源５の発振を入／切する信号を送信するように構成することは当然である。
【００６３】
さらに、前記第３実施例における制御手段１９に、着座検出手段１１と駆動信号出力手段２１を具備せず（マイクロコンピュータに着座検出手段１１および駆動信号出力手段２１の機能を持たせず）、図９（ａ）に示すように、発振電圧監視手段２０と入／切信号出力手段１２のみから構成して、電圧検出手段２２にて検出した発振電圧が間欠発振状態であるとき、スイッチング電源５の発振を切にする信号を切換手段７に送信したり、同図（ｂ）に示すように、制御手段１９を直流負荷ａ〜ｃの駆動状態を監視する負荷監視手段２３と入／切信号出力手段１２より構成して、直流負荷ａ〜ｃが全て停止状態にあるとき、切換手段７にスイッチング電源５の発振を切にする信号を送信することで、スイッチング電源５の間欠発振が継続されることを阻止してもよい。
【００６４】
図１０は本発明の第４実施例を示すものであり、図１０において、２４は電源スイッチ５の発振電力量を監視する電力量監視手段２５と、前記発振電力量が予め指定した電力量以下／上により、スイッチング電源５の発振を入／切する入／切信号出力手段１２から構成されるマイクロコンピュータからなる制御手段である。なお、図１０において前記制御手段２４およびスイッチング電源５の駆動電源と、スイッチング電源５の２次側（出力側）に接続される直流負荷ａ〜ｃは、図１に示すものと同一であるため、その記載は省略する。
【００６５】
つづいて、前記制御手段２４の動作を図１１のフローチャートにより説明する。前記制御手段２４は図１１のステップＳ６１において、マイクロコンピュータ内のＲＡＭの初期化、Ｉ／Ｏ設定、割り込み処理の設定等コンピュータの初期化処理を行うと、ステップＳ６２において、電力量監視手段２５はスイッチング電源５が現在発振している電力量（以下、発振電力量という）の確認をする。
【００６６】
そして、前記発振電力量が予め指定した電力量（以下、指定電力量という）以下であるか否かをステップＳ６３にて判別し、その結果、前記発振電力量が指定電力量以下であれば、ステップＳ６４に移行して、入／切信号出力手段１２は切換手段７にスイッチング電源５の発振を入にする信号を送信して、特定の直流負荷（例えば、脱臭ファン回転用の電動機）を駆動（ステップＳ６５）し、その後は、ステップＳ６２まで戻ってそれ以降の動作を繰返す。
【００６７】
また、前記ステップＳ６３において、発振電力量が指定電力量を上回った場合、前記入／切信号出力手段１２は切換手段７にスイッチング電源５の発振を切にする信号を送信（ステップＳ６６）して現在駆動中の直流負荷を停止し、つづいて、前記負荷スイッチ１６の投入状態を解除する（ステップＳ６７）。
【００６８】
その後、再びステップＳ６２の発振電力量の確認まで戻った後は、ステップＳ６３以降の動作を繰返すことによって、スイッチング電源５の発振電力が指定電力を超えて発振されていないか常時監視し、万一超えた場合はスイッチング電源５の発振を停止して電力が使用者の予定量を上回って消費されることを確実に防止する。
【００６９】
すなわち、本発明の第４実施例は、省エネルギーを目的として、スイッチング電源５の発振電力量の限度を予め指定しておき、直流負荷により使用される電力量が前記指定電力量を上回ったときは、前記スイッチング電源５の発振を停止することで、無駄に電力が消費されることを防止し、また、前記スイッチング電源５の発振を停止した際は、負荷スイッチ１６の投入状態を全て解除することで、ステップＳ６４において再びスイッチング電源５の発振が開始された際、発振電力量が指定電力量を上回って、発振が即時停止されてしまうことを確実に阻止できるように構成した。
【００７０】
図１２は本発明の第５実施例を示しており、２６は便座１の下側に取付けられ、使用者が便座１に着座したとき、前記便座１により上方から押されることによって機械的に投入する着座スイッチを示し、前記着座スイッチ２６の投入／非投入によりスイッチング電源５が発振を入／切するものである。
【００７１】
２７は前記スイッチング電源５の発振により駆動する、マイクロコンピュータによって構成した制御手段を示し、２８は前記制御手段２７内において、スイッチング電源５が発振を開始した際、特定の直流負荷（例えば、脱臭ファン回転用の電動機）に駆動信号を送信する駆動信号出力手段である。
【００７２】
そして、前記制御手段２７によって直流負荷ａ〜ｃを制御する場合、図１３のステップＳ７１において、使用者が便座１に着座することにより着座スイッチ２６が投入されると、ステップＳ７２においてスイッチング電源５は発振を入とする。これにより、前記制御手段２７はスイッチング電源５の発振電力により電力供給されて（ステップＳ７３）、マイクロコンピュータ内のＲＡＭの初期化、Ｉ／Ｏ設定、割り込み処理の設定等、コンピュータの初期化処理（ステップＳ７４）を行う。
【００７３】
つづいて、駆動信号出力手段２８はステップＳ７５において、特定の直流負荷（例えば、脱臭ファン回転用の電動機）に駆動信号を送信してこれを駆動することにより、スイッチング電源５が無負荷状態または軽負荷状態で発振を入とすることを防止するとともに、着座後に図示しない負荷スイッチが投入されたとき、応答性良く負荷を駆動することを可能とする。その後はステップＳ７１まで戻って、それ以降の動作を繰返し行う。
【００７４】
また、前記ステップＳ７１において、着座スイッチ２６が投入されていない場合、すなわち、便座１が非着座状態にあるときは、ステップＳ７６に移行して、スイッチング電源５の発振は切となり、前記スイッチング電源５の２次側（出力側）に接続した直流負荷は、電力の供給がなくなることによりその駆動を停止する（ステップＳ７７）。その後は、再びステップＳ７１の着座スイッチ２６の投入確認まで戻り、以降の動作を繰返す。
【００７５】
すなわち、本発明の第５実施例は、スイッチング電源５の発振の入／切を、使用者の着座／非着座によって機械的に切換可能な着座スイッチ２６を備えて構成したので、着座検出時に制御手段２７の電源を確保する必要は全くなく、その結果、制御手段２７の電源に前記スイッチング電源５を使用することができるため、制御手段２７の電源を別に設ける必要はなく、経済的である。
【００７６】
なお、本発明の第５実施例は、スイッチング電源５の発振を入／切する手段として、使用者の便座１への着座／非着座を機械的に検出可能な着座スイッチ２６を備えて構成した例について説明したが、本発明はこれに限らず、例えば、図１２に示す便蓋４の開閉を機械的に検出可能な機構スイッチを備えて構成してもよい。
【００７７】
本発明は以上説明したように、スイッチング電源５の発振を常時行わず、ある条件（着座や便蓋開等）を満たしたとき発振を入として、特定の直流負荷を駆動するように構成したので、スイッチング電源５の発振が無負荷状態または軽負荷状態で入となり間欠発振を起こすことはないため、間欠発振防止用の擬似負荷を設ける必要はなく、前記擬似負荷によって無効電力が消費されることもない。
【００７８】
また、本発明は、使用者が操作パネル上の負荷スイッチを投入する際、スイッチング電源５は既に発振を入にした状態にあるため、直流負荷は前記負荷スイッチの投入に対して即時応答することが可能となり、利便である。
【００７９】
【発明の効果】
請求項１〜７に示す衛生洗浄装置の制御装置は、直流負荷に電力を供給するスイッチング電源に、供給電力の発振の入／切を行う切換手段を備えて構成したので、発振が不必要なときは前記スイッチング電源の発振を切として、無負荷状態あるいは軽負荷状態において、間欠発振が生じるのを確実に防止することができる。
【００８０】
特に、請求項２に示す衛生洗浄装置の制御装置は、便座の着座／非着座によりスイッチング電源の発振を入／切するように構成したので、例えば、使用者が便座に着座してない状態で操作パネル上の局部洗浄スイッチが投入されて、ノズルから噴出した洗浄水が便室を濡らしてしまうといった誤動作を確実に防止することができる。
【００８１】
請求項３に示す衛生洗浄装置の制御装置は、使用者を感知することによってスイッチング電源の発振を入とするように構成したので、使用者が操作パネル上の負荷スイッチを操作して直流負荷を駆動する際、前記スイッチング電源は既に発振を入とした状態にあるため、前記直流負荷は負荷スイッチの投入に即時応答することができ、利便である。
【００８２】
請求項４に示す衛生洗浄装置の制御装置は、使用者が便蓋を開放することによってスイッチング電源の発振を入とし、特定の直流負荷を駆動するように構成したので、特定の直流負荷を例えば脱臭ファン回転用の電動機とすれば、使用者が衛生洗浄装置を使用するときには必ず脱臭機能が働き、使用者が衛生洗浄装置の使用に際して、異臭により不快感を感じることを良好に抑制することができる。
【００８３】
特に、請求項１に示す衛生洗浄装置の制御装置は、スイッチング電源の発振が切状態である時間、即ち、使用者が衛生洗浄装置を使用していない時間を計測して、該計測時間に比例してスイッチング電源の発振を入とする条件を遅延するように構成したので、使用者が旅行などで長期間不在であるときなど、塵埃などにセンサーが反応してスイッチング電源が誤発振されることを確実に阻止することができ、無駄な電力消費を防止することができる。
【００８４】
請求項２〜４に示す衛生洗浄装置の制御装置は、スイッチング電源の発振が間欠発振状態となったとき、特定の直流負荷を自動的に駆動するように構成したので、スイッチング電源の間欠発振が継続して行われることはなく、これにより直流負荷が誤動作することを防止することができ、安全性が向上する。
【００８５】
請求項５、６に示す衛生洗浄装置の制御装置は、スイッチング電源が間欠発振状態或いは無負荷状態（軽負荷状態）となったとき、前記スイッチング電源の発振を切制御するように構成したので、直流負荷が前記間欠発振によって誤動作することを阻止できるとともに、装置は間欠発振状態を監視する手段または無負荷状態（軽負荷状態）を監視する手段と、スイッチング電源の発振を切にする手段のみから構成されるため、簡易な構成で確実に直流負荷の誤動作を防止することができ、利便である。
【００８６】
そして、請求項７に示す衛生洗浄装置の制御装置は、スイッチング電源の発振電力が指定電力量以上となったとき前記発振を停止するように構成したので、使用者の予定量以上に電力が消費されることを確実に防止することができる。
【００８７】
【００８８】
【図面の簡単な説明】
【図１】本発明の第１実施例における負荷制御手段を示すブロック図である。
【図２】第１実施例における制御手段の構成図である。
【図３】第１実施例の動作を説明するフローチャートである。
【図４】本発明の第２実施例における制御手段を示す構成図である。
【図５】第２実施例の動作を説明するフローチャートである。
【図６】本発明の第３実施例を示すブロック図である。
【図７】第３実施例の動作を説明するフローチャートである。
【図８】間欠発振状態を説明する波形図である。
【図９】間欠発振を回避する手段のみから構成した制御手段を示す構成図である。
【図１０】本発明の第４実施例を示すブロック図である。
【図１１】第４実施例の動作を説明するフローチャートである。
【図１２】本発明の第５実施例を示すブロック図である。
【図１３】第５実施例の動作を説明するフローチャートである。
【図１４】一般に使用されている衛生洗浄装置を示す斜視図である。
【符号の説明】
３制御装置
４便蓋
５スイッチング電源
７切換手段
８、１３、１９、２４、２７制御手段
９電源装置（平滑電源）
１０着座センサー
１１着座検出手段
１２入／切信号出力手段
１４使用者監視手段
１５人感センサー
１６直流負荷駆動用スイッチ
１７スイッチ監視手段
１８切時間計測手段
２０発振電圧監視手段
２１、２８駆動信号出力手段
２２電圧検出手段
２５電力量監視手段
２６着座スイッチ
ａ〜ｃ直流負荷
【図１】
0003715462.tif 000002
【図２】
0003715462.tif 000003
【図３】
0003715462.tif 000004
【図４】
0003715462.tif 000005
【図５】
0003715462.tif 000006
【図６】
0003715462.tif 000007
【図７】
0003715462.tif 000008
【図８】
0003715462.tif 000009
【図９】
0003715462.tif 000010
【図１０】
0003715462.tif 000011
【図１１】
0003715462.tif 000012
【図１２】
0003715462.tif 000013
【図１３】
0003715462.tif 000014
【図１４】
0003715462.tif 000015